【手続補正書】
【提出日】平成18年12月25日(2006.12.25)
【手続補正１】
【補正対象書類名】明細書
【補正対象項目名】発明の名称
【補正方法】変更
【補正の内容】
【発明の名称】ＭＲＩ装置
【手続補正２】
【補正対象書類名】明細書
【補正対象項目名】特許請求の範囲
【補正方法】変更
【補正の内容】
【特許請求の範囲】
【請求項１】  被検体の所望領域に対して心電同期法に拠るイメージングを行うようにしたＭＲＩ装置において、
前記心電同期法に拠るイメージング用ＭＲスキャンに用いられ且つ高信号値を呈する高信号時相域に対応した最適同期タイミングを準備用ＭＲスキャンの実行を通して事前に設定する最適遅延時間設定手段と、
前記最適遅延時間に同期したイメージング用ＭＲスキャンを実行してエコー信号を収集するイメージング用スキャン手段と、
このエコー信号をｋ空間に配置すると共に当該配置信号に再構成処理を施して画像を生成する画像生成手段とを備え、
前記イメージング用スキャン手段は、前記高信号時相域で収集したエコー信号を前記ｋ空間の中心部の所望低周波領域に配置するように設定したパルスシーケンスを実行する実行手段を備えたことを特徴とするＭＲＩ装置。
【請求項２】  請求項１記載のＭＲＩ装置において、
前記最適遅延時間設定手段は、前記被検体の心時相を表す信号を収集する信号収集手段と、
前記信号の中の参照波に同期した異なる複数の遅延時間夫々にて前記領域に対する前記準備用ＭＲスキャンを実行してエコー信号を収集する準備用スキャン手段と、
このエコー信号から前記複数の遅延時間に対応した複数枚の画像を各々得る画像取得手段と、
前記参照波に同期した前記最適遅延時間を前記複数枚の画像に基づいて決める決定手段とを備えたＭＲＩ装置。
【請求項３】  請求項１記載のＭＲＩ装置において、
前記最適遅延時間設定手段は、前記被検体の心時相を表す信号を収集する信号収集手段と、
前記信号の中の参照波に同期した異なる複数の遅延時間夫々にて前記領域に対する前記準備用ＭＲスキャンを実行してエコー信号を収集する準備用スキャン手段と、
このエコー信号から前記複数の遅延時間に対応した複数枚の画像を各々得る画像取得手段と、
前記複数枚の画像をオペレータが目視観察して決めた前記参照波に同期した前記最適遅延時間を受け付ける受付け手段とを備えたＭＲＩ装置。
【請求項４】  請求項２又は３記載のＭＲＩ装置において、
前記準備用スキャン手段は、シングルスライス・マルチフェーズ（ｓｉｎｇｌｅ  ｓｌｉｃｅ  ａｔ  ｍｕｌｔｉｐｈａｓｅ）方式のパルスシーケンスで前記準備用ＭＲスキャンを実行する手段であるＭＲＩ装置。
【請求項５】  請求項４記載のＭＲＩ装置において、
前記シングルスライス・マルチフェーズ方式のパルスシーケンスは２次元のセグメンテッドＦＦＥ（ｓｅｇ．ＦＦＥ）法に拠るパルスシーケンスであるＭＲＩ装置。
【請求項６】  請求項５記載のＭＲＩ装置において、
前記実行手段により実行されるパルスシーケンスは２次元又は３次元のセグメンテッドＦＦＥ（ｓｅｇ．ＦＦＥ）法に拠るパルスシーケンスであるＭＲＩ装置。
【請求項７】  請求項６記載のＭＲＩ装置において、
前記実行手段により実行されるパルスシーケンスは、このパルスシーケンスを実行して収集されたエコー信号がセントリック・オーダー（ｃｅｎｔｒｉｃ  ｏｒｄｅｒ）で前記ｋ空間に配置される位相エンコード量又はスライスエンコード量の傾斜磁場パルスを有するＭＲＩ装置。
【請求項８】  請求項６又は７記載のＭＲＩ装置において、
前記実行手段により実行されるパルスシーケンスと前記準備用スキャン手段により実行されるパルスシーケンスとのエコー時間は互いに略同一であるＭＲＩ装置。
【請求項９】  請求項５記載のＭＲＩ装置において、前記実行手段により実行されるパルスシーケンスは３次元のセグメンテッドＦＦＥ（ｓｅｇ．ＦＦＥ）法に拠るパルスシーケンスであるＭＲＩ装置。
【請求項１０】  請求項５記載のＭＲＩ装置において、
前記実行手段により実行されるパルスシーケンスは、前記最適遅延時間に同期して前記高信号時相域においてエコー信号収集のために印加するパルス列と、当該最適遅延時間に到達する前の空き時相域において印加するパルス列とを含むＭＲＩ装置。
【請求項１１】  請求項１０記載のＭＲＩ装置において、
前記空き時相域において印加するパルス列は、前記ｋ空間の低周波領域以外の残り領域である高周波領域にスクロールして配置するエコー信号を収集するためのパルス列を含むＭＲＩ装置。
【請求項１２】  請求項１０記載のＭＲＩ装置において、
前記空き時相域において印加するパルス列は、前記領域の実質部のスピンを励起する空打ちパルスを含むＭＲＩ装置。
【請求項１３】  請求項１０記載のＭＲＩ装置において、
前記空き時相域において印加するパルス列は、前記領域から収集するエコー信号にＭＴ効果を起こさせるＭＴパルスを含むＭＲＩ装置。
【請求項１４】  請求項１記載のＭＲＩ装置において、
前記イメージング用スキャン手段は、前記領域全体を一度に励起して得られるエコー信号の強度をモニタする手段と、
この信号強度が一定値を超えた時点で前記イメージング用ＭＲスキャンを開始させる手段とを備えたＭＲＩ装置。
【請求項１５】  請求項２又は３記載のＭＲＩ装置において、
前記準備用スキャン手段は、シングルスライス・マルチフェーズ（ｓｉｎｇｌｅ  ｓｌｉｃｅ  ａｔ  ｍｕｌｔｉｐｈａｓｅ）方式の２次元のフィールドエコー（ＦＥ）法に拠るパルスシーケンスで前記準備用ＭＲスキャンを実行する手段であり、
前記実行手段により実行されるパルスシーケンスは、２次元又は３次元のタイム・オブ・フライト（ＴＯＦ）法を成すフィールドエコー（ＦＥ）法に拠るパルスシーケンスであるＭＲＩ装置。
【請求項１６】  請求項１５記載のＭＲＩ装置において、
前記準備用スキャン手段は、前記パルスシーケンスを用いて前記複数の同期タイミング夫々に対応したｋ空間の所望低周波領域を成す中心部のみにエコー信号を収集・配置し、且つ、前記複数の同期タイミングの内の少なくとも１つに対応したｋ空間の残りの高周波領域にエコー信号を収集・配置する手段を有し、
前記画像取得手段は、前記準備用スキャン手段によりエコー信号が配置されていない高周波領域を有するｋ空間には、そのエコー信号が配置されているｋ空間の高周波領域から信号値を複写する手段を有するＭＲＩ装置。
【請求項１７】  請求項１記載のＭＲＩ装置において、
前記最適遅延時間設定手段は、前記領域の２次元位相画像（２Ｄ−ＰＳ）をシングルスライス・マルチフェーズ（ｓｉｎｇｌｅ  ｓｌｉｃｅ  ａｔ  ｍｕｌｔｉｐｈａｓｅ）方式で収集して前記各同期タイミングにおけるフロー像を作成する手段と、
この複数枚のフロー像からピークフローを呈するフロー像に基づいて前記最適同期タイミングを決める手段とを備えたＭＲＩ装置。
【請求項１８】  請求項１乃至１７の何れか一項記載のＭＲＩ装置において、
前記心時相を表す信号はＥＣＧ（心電図）信号であり、前記参照波はそのＥＣＧ信号のＲ波であり、且つ、前記同期タイミングはそのＲ波からの遅延時間であるＭＲＩ装置。
【手続補正３】
【補正対象書類名】明細書
【補正対象項目名】０００１
【補正方法】変更
【補正の内容】
【０００１】
【発明の属する技術分野】
本発明は、ＭＲ造影剤を用いること無く血流を撮像するＭＲＩ装置に係り、特に、心電同期法を用いて、血流のインフローに拠る効果（すなわち、フレッシュな血流の撮像領域への流入に伴ってＭＲ信号値が上がる効果：インフロー効果）を最大限に有用化したＭＲＡ（ＭＡアンギオグラフィ）を行うことができるＭＲＩ装置に関する。
【手続補正４】
【補正対象書類名】明細書
【補正対象項目名】００２４
【補正方法】削除
【補正の内容】